(57)【要約】      （修正有）【課題】ゴルフ用クラブシャフトにおいて、劣化や磨耗によって滑りやすくなったグリップの外周面に被覆して、グリップの再生を図る着脱容易なグリップカバーを提供する。【解決手段】リング状に巻き込まれた薄肉の弾性部材からなる中空円筒状のグリップカバー本体１と、内周面がゴルフ用クラブシャフトのグリップエンドに嵌合可能に形成され、その外周面に鍔付きのガイド部が形成されたカバーキャップ本体２とからなり、使用に際しては前記リング状に巻き込まれたグリップカバー本体を、前記カバーキャップ本体のガイド部外周面に巻着し、次いで該ガイド部内周面を前記グリップエンドに外嵌した後、リング状に巻き込まれた前記グリップカバー本体をクラブヘッド側に巻き戻すことにより、グリップの外周面に被覆されるグリップカバー。【選択図】図５
0003103792.tif 000002
【実用新案登録請求の範囲】
【請求項１】
リング状に巻き込まれた薄肉の弾性部材からなる中空円筒状のグリップカバー本体と、内周面がゴルフ用クラブシャフトのグリップエンドに嵌合可能に形成され、その外周面に鍔付きのガイド部が形成されたカバーキャップ本体とからなり、使用に際しては前記リング状に巻き込まれたグリップカバー本体を、前記カバーキャップ本体のガイド部外周面に巻着し、次いで該ガイド部内周面を前記グリップエンドに外嵌した後、リング状に巻き込まれた前記グリップカバー本体をクラブヘッド側に巻き戻すことにより、グリップの外周面に被覆されるグリップカバー。
【請求項２】
前記薄肉の弾性部材からなる中空円筒状のグリップカバー本体が、肉厚０．２〜０．７の天然ゴム、合成ゴム若しくは各種合成樹脂等からなる弾性材料によって形成される請求項１に記載のグリップカバー。
【請求項３】
前記薄肉の弾性部材からなる中空円筒状のグリップカバー本体の外周面に、所望により各種の凹凸、スリット、網目模様等を形成し、滑り止め加工を施す請求項１乃至２のいずれか１項に記載のグリップカバー。
【請求項４】
前記カバーキャップ本体が、天然ゴム、合成ゴム、各種合成樹脂等からなる弾性材料によって形成される請求項１乃至３のいずれか１項に記載のグリップカバー。
【請求項５】
前記カバーキャップ本体の長手方向の全長に渡り、切れ込みを形成する請求項１乃至４のいずれか１項に記載のグリップカバー。
【考案の詳細な説明】
【技術分野】
【０００１】
本考案は、主としてゴルフ用クラブシャフトのグリップの外周面に、被覆するようにして装着され、劣化や磨耗によって滑りやすくなったグリップを再生し、滑り止めとして機能する着脱容易なグリップカバーに関する。
【背景技術】
【０００２】
ゴルフクラブ用クラブシャフトのグリップは、通常合成皮革やゴムによって形成され、プレーするプレーヤーの握力が十分にシャフトに伝わるよう、該グリップに凹凸やスリットを設けて滑りを防止するよう加工されている。しかしながら長い間過酷な条件で使用されている間に、滑り止めとして設けた凹凸やスリットが磨耗や劣化によって磨り減り、滑り止めとしての機能を果たせなくなり、加えてそれが起因して微妙なズレを生ずるようになる。その微妙なズレがインパクトの際、ボールを捉えようとするフェース面に波及することとなるが、例えばグリップにおける１ｍｍのズレが、１００〜２００ヤード先においては数十ヤードのズレに拡大して、大きなミスショットを生む結果になる。特に近年、ゴルフを愛好する女性プレーヤーが増えたり、高齢者が生涯スポーツとしてゴルフを選択する傾向があり、結果として非力なゴルフプレーヤーが増加する傾向が見られるが、非力なプレーヤーほど握力が劣ることは否めず、グリップの滑りは致命的な問題であった。
【０００３】
そこで斯界の各メーカーは、グリップを構成する材質に様々な改良を加えて劣化を防止する対策を施したり、滑り止め目の形態に工夫を凝らして長時間の使用においても磨耗が進行しないように配慮を施し、ゴルフ用クラブシャフトのグリップ一つを採っても数多くの製品が市場に提供されている。
【考案の開示】
【考案が解決しようとする課題】
【０００４】
然しながら、ゴルフは所詮アウトドアスポーツであり、夏の炎天下、降雨や冬の寒さの中であっても、愛好者はいとわずにプレーを楽しむのが実情であり、自らは服装によって防備を固めるものの、ゴルフクラブは過酷な条件の中で使い続けられることとなる。従って様々な改善が施され、改良を加えられたグリップであっても、一定期間を経過すると劣化や磨耗が進行し、滑りを生ずる原因となり、結果として大きなミスショットを連発するようになるため、早急に解決を望まれる課題であった。本考案はこのような要望に答えられるグリップを提供することを目的とし、種々検討を重ねた結果、既存のグリップに薄肉のカバーを被覆して、該カバー自体を再生したグリップとして代用させることに着目して、本考案を完成した。
【０００５】
なお、本考案におけるグリップカバーは、その主たる目的をゴルフ用クラブシャフトのグリップを対象としているが、その他の球技用グリップ、例えばテニス、バトミントンなどのラケットのグリップにおけるグリップカバーとして、本考案を転用することを妨げるものではない。
【課題を解決するための手段】
【０００６】
上記課題を解決するための本願に係わる考案は、リング状に巻き込まれた薄肉の弾性部材からなる中空円筒状のグリップカバー本体と、内周面がゴルフ用クラブシャフトのグリップエンドに嵌合可能に形成され、その外周面に鍔付きのガイド部が形成されたカバーキャップ本体とからなり、使用に際しては前記リング状に巻き込まれたグリップカバー本体を、前記カバーキャップ本体のガイド部外周面に巻着し、次いで該ガイド部内周面を前記グリップエンドに外嵌した後、リング状に巻き込まれた前記グリップカバー本体をクラブヘッド側に巻き戻すことにより、グリップの外周面に被覆されるグリップカバーを要旨とするものである。
【０００７】
また、本考案によるグリップカバーは、前記薄肉の弾性部材からなる中空円筒状のグリップカバー本体が、肉厚０．２〜０．７の天然ゴム、合成ゴム若しくは各種合成樹脂等からなる弾性材料によって形成されることを好ましい態様とするものである。
【０００８】
更に本考案は、前記薄肉の弾性部材からなる中空円筒状のグリップカバー本体外周面に、所望により各種の凹凸、スリット、網目模様等を形成し、滑り止め加工を施すことを好ましい態様とするグリップカバーにある。
【０００９】
本考案による前記グリップカバーは、カバーキャップ本体が、天然ゴム、合成ゴム、各種合成樹脂等からなる弾性材料によって形成されることを好ましい態様とするものである。
【００１０】
また、本考案による前記グリップカバーは、前記カバーキャップ本体の長手方向の全長に渡り、切れ込みを形成することを好ましい態様とするものである。
【考案の効果】
【００１１】
以上詳述したように本考案によるグリップカバーは、薄肉の弾性部材からなる中空円筒状のグリップカバー本体と、該グリップカバー本体をリング状に巻き込んで、既存のグリップにガイドしながら装着するカバーキャップ本体とから構成され、従来公知の素材を使用した簡素な構造であるにも拘らず、劣化や磨耗によって損耗したゴルフクラブのグリップを、交換等の手間を要さずそのままの状態で容易に再生することができる。また、本考案においては薄肉の弾性部材からなり、中空円筒状の前記グリップカバー本体が、カバーキャップ本体のガイド部によって案内され、既存のグリップの外周面に正確な方向性をもって装着されるため、グリップカバーに捩れや歪みを生じさせることなく、均一な被覆を完成させることができる。従って握力が低下した女性やシニアのプレーヤーにとっても、滑りを気にせず楽なスイングが可能となり、パワーヒッターにとってはさらに強烈なヒッティング可能となる。さらに、本考案によるグリップカバーは着脱が容易であるため、新品のゴルフクラブのグリップに装着しておくことにより、長期間使用後であってもグリップは新品のままで維持することができ、雨天の場合等を含めてグリップの保護用カバーとしても有用である。なお、本考案によるグリップカバーを、テニス、バトミントン、野球のバット等のグリップカバーとして、好適に転用することも可能である。
【考案を実施するための最良の形態】
【００１２】
以下本考案を添付した図面に基づき具体的に説明するが、本考案はこれによって拘束されるものではなく、本考案の主旨の範囲内において自由に設計変更が可能である。図１は本考案に係るグリップカバー本体の一実施例を示す３面説明図で、（ａ）は円筒状のグリップカバー本体を示す斜視図、（ｂ）は該グリップカバー本体をリング状に巻き込んだ状態を示す側部断面図、（ｃ）はその正面断面図、図２は本考案に係るカバーキャップ本体の一実施例を示す３面説明図で、（ａ）はその縦断側面図、（ｂ）はその正面図、（ｃ）はその背面図、図３は本考案に係るカバーキャップ本体の他の実施例を示す３面説明図で、（ａ）はその縦断側面図、（ｂ）はその正面図、（ｃ）その背面図、図４は本考案に係る一実施例において、グリップカバーをグリップに装着する直前の状態を模式的に示す拡大縦断側面図、図５は本考案に係る一実施例において、グリップカバーをグリップに装着する途中の状態を模式的に示す一部拡大縦断側面図、図６は本考案に係る一実施例において、グリップカバー装着後のグリップの状態を模式的に示す一部拡大縦断側面図、図７は本考案に係る一実施例においてグリップカバー装着後のゴルフクラブを示す斜視図である。
【００１３】
本願考案によるグリップカバーは、ゴルフ用クラブシャフトに巻着されている既存のグリップの外側を、被覆するようにして装着され、該既存グリップの損耗部分を補うように機能するものである。従ってその構造は簡素にして且つ安価に提供することができ、しかも極めて簡略な操作によって容易に装着することが求められる。このような要求に対応し得る本考案によるグリップカバーは、その基本的形態は薄肉の中空円筒状をなすグリップカバー本体と、該グリップカバー本体を、既存のグリップに容易に装着させることができるカバーキャップとによって構成されている。より具体的には図１（ａ）に示すように中空の円筒体からなるグリップカバー本体１は、薄肉で伸縮自在の弾性部材によって形成されているため、同図（ｂ）および（ｃ）に示すように容易にリング状に巻き込むことが可能である。本考案による該グリップカバー本体１を構成する弾性部材としては、天然ゴム、合成ゴムおよびそれに順ずる弾性係数を有する各種合成樹脂などから適宜選択して用いることができる。該グリップカバー本体１の肉厚は十分な伸縮性を保持し、リング状に巻き込むことが可能な範囲であれば任意であるが、本考案の目的を十分に達成せしめる上で０．２〜０．７ｍｍの範囲が好ましい。肉厚が０．２ｍｍ以下の場合には強度的に不安が生じ、０．７ｍｍを超えるとリング状を形成することが困難となり、装着する操作にも不都合が生じ、スムースな被覆の妨げとなり、且つ既存のグリップが有する凹凸等の滑り止め機能を相殺して十分な握力を維持できなくなる。このような点を考慮して本考案によるグリップカバー本体１の肉厚は、０．５ｍｍを中心に上下０．１ｍｍ程度が最も好ましい。
【００１４】
本考案による前記グリップカバー本体１の外周面には所望により各種の凹凸、スリット、網目模様等を形成して、滑り止め加工を施すことも好ましい態様である。本考案によるグリップカバーは、前記したように既存のグリップに被覆して装着されるものであるから、該既存グリップが単に劣化して本来の弾力性を失った状態である場合、該グリップに設けられていた例えば凹凸などの滑り止めは健在であるため、その上に薄肉の弾性部材からなる本願考案のグリップカバーを被せることにより、既存のグリップカバーはその機能が再生されることとなる。従って本考案による上記滑り止め加工は、既存のグリップがむしろ磨耗によってその機能を失った場合には、極めて好ましい選択肢となる。しかしながら滑り止め加工を施すことによって失われるデメリットは、若干の加工費の増加になる程度のことであり、許される範囲において滑り止め加工を施すことが推奨される。
【００１５】
グリップカバー本体１の全長は、プレーに際しグリップとして握る範囲をカバーし得る長さにおいて任意であるが、プレー中には状況に応じて同一のクラブを短く持って対処する必要に迫られる場合もあり、既存のグリップを全て被覆できる長さであることが望ましい。ゴルフ用クラブシャフトのグリップは、ドライバー等のウッドヘッド用シャフトと、アイアンヘッド用シャフトでは微妙に異なるが、実効長さにおいて前者が約２７０ｍｍであるのに対し、後者が約２６０ｍｍ程度で大きな差がないため、例えば実効長さを２７０ｍｍに統一しておくことによって汎用性をもたせることが可能となる。一方、グリップカバー本体１の内径は、既存のグリップに十分な弾力性を有したままで、且つ容易に抜け落ちることがない程度に被覆される範囲においては任意であり、特に制限はしないが、通常、ゴルフ用クラブシャフトのグリップの外径は、グリップエンド付近で約２８ｍｍ、グリップ先端付近で約１８ｍｍ程度、ウッドクラブおよびアイアンクラブであっても最大で０．５〜１．０ｍｍ程度の差しかないのが通常であるところから、弾性体材料の伸縮性とその汎用性等を考慮して適宜に定めることが望ましい。
【００１６】
本考案において、前記グリップカバー本体１を、既存のグリップに容易に被覆させることができるカバーキャップ本体２は、図２に示すようにその内周面２−２が、前記ゴルフ用クラブシャフト４の既存のグリップエンド３−１に嵌合可能に形成され、その外周面には後方に鍔２−３を設けたガイド部２−１と、前期鍔２−３の後方に連なって把持部２−４が形成されている。上記構成の本考案によるカバーキャップ本体２は、天然ゴム、合成ゴム、各種合成樹脂等からなる弾性材料によって形成されることが望ましい。なお、図２に示すカバーキャップ本体１は、本考案による一実施例を示すものであり、その形態については自由に設計変更が可能である。
【００１７】
図３は本考案におけるカバーキャップ本体の他の実施例を示すが、該実施例においてはカバーキャップ本体２ａの長手方向の全長に渡り、切れ込み２ａ−５が形成されている。本例によるカバーキャップ２ａは、ガイド部２ａ−１の内周面２ａ−２を、グリップの再生対象となるクラブシャフトのグリップエンドに外嵌する際、該ガイド部を拡径することが可能であるため、その操作が極めて容易となり、径の異なるグリップエンドへの着脱において、該切れ込み２ａ−５が効果的に機能する。
【実施例１】
【００１８】
内径１５ｍｍ、肉厚０．５ｍｍ、全長２７０ｍｍの天然ゴム製の中空円筒体からなるグリップカバー本体１を用意した。次いで図２に示すような合成ゴム製のカバーキャップ２を用意し、該カバーキャップ２のガイド部２−１に前記グリップカバー本体１の一端を差し込み、これを巻き込んで該ガイド部２−１の外周面において図３に示すようなリング状を形成した。この際、該カバーキャップ２の後方に設けられた鍔２−３は、ストッパーとして機能し、リング状に形成されたグリップカバー本体１を図４に示すように安定的に保持した。次に使い込まれた一番ウッドのゴルフクラブを用意し、該ゴルフクラブのクラブシャフト４に巻着され、劣化して弾力性を失った合成ゴム製グリップ３のグリップエンド３−１に、前期カバーキャップ２のガイド部２−１内周面２−２を外嵌させた。該グリップエンド部３−１の最大外径は２８ｍｍであったが、ガイド部内周面２−２は先端に向かって薄肉の舌状に形成されているため、容易に嵌め込むことができた。次いで前記ガイド部２−１の外周面にリング状に巻き込まれていたグリップカバー本体１を、図５に示すように徐々にクラブヘッド４−１側の方に巻き戻し、該グリップカバー本体１によって既存のグリップ３が被覆された後、該カバーキャップ２をグリップエンド３−１から取り外し、図６に示すようなグリップカバー本体１によるグリップカバーの装着が完成した。本例によるグリップカバーを施されたゴルフクラブは、図７に示すようにグリップそのものが再生され、プレーヤーの握力を正しくクラブヘッドに伝達し、違和感を伴わずにプレーを継続できることが確認された。
【実施例２】
【００１９】
グリップカバー本体１の外周面に、複数の凹凸を形成することによる滑り止め加工を施し、グリップ３が著しく磨耗したゴルフクラブを用意した以外実施例１と同様にしてグリップカバーを被覆させた。滑り止め加工を施されたグリップカバーによってグリップは再生され、プレーヤーの握力は正確にクラブヘッドに伝達され、違和感を伴わずにプレーを継続できることが確認された。
【実施例３】
【００２０】
図３に示すように、カバーキャップ本体２ａの側面に全長に渡って切れ込み２ａ−５を形成した以外、実施例１と同様にして既存のグリップ３へのグリップカバーの被覆を実施した。この際、ガイド部２ａ−１内周面２ａ−２は前記切れ込み２ａ−５の作用によって拡径可能となり、グリップエンド３−１へのガイド部２ａ−１の外嵌は、極めて容易に実施することができ、グリップカバー装着後取り外しも極めてスムースに実施できることが確認された。
【図面の簡単な説明】
【００２１】
【図１】本考案に係るグリップカバー本体の一実施例を示す３面説明図で、（ａ）は円筒状のグリップカバー本体を示す斜視図、（ｂ）は該グリップカバー本体をリング状に巻き込んだ状態を示す側部断面図、（ｃ）はその正面断面図である。
【図２】本考案に係るカバーキャップ本体の一実施例を示す３面説明図で、（ａ）はその縦断側面図、（ｂ）はその正面図、（ｃ）はその背面図である。
【図３】本考案に係るカバーキャップ本体の他の実施例を示す３面説明図で、（ａ）はその縦断側面図、（ｂ）はその正面図、（ｃ）その背面図である。
【図４】本考案に係る一実施例において、リング状に巻き込まれたグリップカバーをカバーキャップガイド部に巻着し、グリップに装着する直前の状態を模式的に示す拡大縦断側面図である。
【図５】本考案に係る一実施例において、グリップカバーをグリップに装着する途中の状態を模式的に示す一部拡大縦断側面図である。
【図６】本考案に係る一実施例において、グリップカバー装着後のグリップの状態を模式的に示す一部拡大縦断側面図である。
【図７】本考案に係る一実施例においてグリップカバー装着後のゴルフクラブ全体の状態を模式的に示す斜視図である。
【符号の説明】
【００２２】
１                グリップカバー本体
２、２ａ          カバーキャップ本体
２−１、２ａ−１  ガイド部
２−２、２ａ−２  内周部
２−３、２ａ−３  鍔
２−４、２ａ−４  把持部
２ａ−５          切れ込み
３                グリップ
３−１            グリップエンド
４                クラブシャフト
４−１            クラブヘッド
【図１】
0003103792.tif 000003
【図２】
0003103792.tif 000004
【図３】
0003103792.tif 000005
【図４】
0003103792.tif 000006
【図５】
0003103792.tif 000007
【図６】
0003103792.tif 000008
【図７】
0003103792.tif 000009